(57)【要約】【課題】係合部材が係合溝から抜け外れた場合であっても、送風ファンの脱落を防止することができる送風ファン装置を提供すること。【解決手段】回転軸２５に設けられたピン２５ａ、係合溝２６と、送風ファン３０に設けられ、回転軸２５への挿入によりピン２５ａに係合する凹部３４、係合溝２６に係合することで送風ファン３０を回転軸２５に抜け止め状態とするための第１の係合部材４０と、第１の係合部材４０に対し、回転軸２５の先端側に離間して配置され、係合溝２６に係合することで送風ファン３０を回転軸２５に抜け止め状態とするための第２の係合部材５０と、第１及び第２の係合部材４０，５０の開口先端側に配置され、係合部材４０，５０をその基端４１ａ，５１ａ側から開口先端側に移動することにより、係合部材４０，５０を係合溝２６から外れさせる拡開部２６とを備えている。【選択図】      図３
2009221927.tif 000002
【特許請求の範囲】
【請求項１】
回転軸に送風ファンを着脱自在に取り付ける送風ファン装置において、
前記回転軸に設けられた回転伝達部と、
前記回転軸の外周部に形成された係合溝と、
前記送風ファンに設けられ、前記回転軸への挿入により前記回転伝達部に係合する被回転伝達部と、
前記送風ファンに設けられ、間隔が狭くなる方向へ付勢され、前記係合溝に係合することで前記送風ファンを前記回転軸に抜け止め状態とするための対向する一対のばね線部からなる第１の係合部材と、
この第１の係合部材に対し、前記回転軸の先端側に離間して配置され、それらの間隔の縮小方向へのばね力により前記係合溝に係合することで前記送風ファンを前記回転軸に抜け止め状態とするための対向する一対のばね線部からなる第２の係合部材と、
前記第１及び第２の係合部材の前記一対のばね線部を拡開させ、該係合部材のいずれか一方のばね線部を前記係合溝から外れさせる手段とを備えていることを特徴とする送風ファン装置。
【請求項２】
前記第１の係合部材及び前記第２の結合部材は、それぞれ前記一対のばね線部が基端側で結合する二股状に形成され、
前記ばね線部を前記係合溝から外れさせる手段は、前記第１及び第２の係合部材の開口先端側に配置され、前記係合部材をその基端側から開口先端側に移動することにより、前記一対のばね線部の先端側に摺接させるものであることを特徴とする請求項１に記載の送風ファン装置。
【請求項３】
前記回転軸の先端、及び、前記係合溝の後端側は基端側へ広がるテーパ形状に形成されていることを特徴とする請求項１または２に記載の送風ファン装置。
【請求項４】
前記第１の係合部材と前記第２の係合部材の前記回転軸の軸方向における離間距離は、前記第１の係合部材が前記係合溝に係合している時は、前記回転伝達部と前記被回転伝達部とは係合し、前記第２の係合部材が前記係合溝に係合している時は、前記回転伝達部と前記被回転伝達部との係合が解除される位置に設定されていることを特徴とする請求項１または２に記載の送風ファン装置。
【発明の詳細な説明】
【技術分野】
【０００１】
本発明は、モータ等の回転軸に形成した係合溝に送風ファンに設けた係合部材の一対のばね線部を係合させて送風ファンを回転軸に抜け止め状態に装着する送風ファン装置に関し、特に送風ファンの抜け止めをより確実に行い得るようにしたものに関する。
【背景技術】
【０００２】
例えば換気扇等の送風ファン装置において、駆動モータ１００と送風ファン２００との着脱操作の容易化を図ったものが知られている（例えば、特許文献１参照）。これは図１０に示すように駆動モータ１００の回転軸１０１の外周部に係合溝１０２を形成すると共に、送風ファン２００に、係合部材２１０を設けたものとなっている。係合部材２１０は、一対のばね線部２１１を有した二股状に形成され、その基端側に操作部材としてのプラスチック製の押釦２１２が設けられている。また送風ファン２００には一対のばね線部２１１を拡開させるためのテーパ面２２１を有する拡開部２２０が設けられている。なお、図１０中２３０はボス部、２３１はボス部の凹部、１０３はピンを示している。
【０００３】
このような送風ファン装置では、ピン１０３をボス部２３０の凹部２３１に係合させることで、回転力を伝達させている。また、ばね線部２１１をその縮小方向のばね力により係合溝１０２に係合させて送風ファン２００を回転軸１０１に抜け止め状態に装着し、押釦２１２をばね線部２１１の先端方向に移動操作することにより、ばね線部２１１の両端部が拡開部２２０のテーパ面２２１を摺動して拡開し、係合溝１０２から外れるように構成されている。
【特許文献１】特公平３−４１１１５号公報
【発明の開示】
【発明が解決しようとする課題】
【０００４】
上述した送風ファン装置では、次のような問題があった。すなわち、係合溝１０２との係合する部材が係合部材２１０のみであるため、何らかの理由で送風ファン２００に抜け方向の力が作用した場合に、取付状態が不完全であったりすると、ばね線部２１１が係合溝１０２から抜け外れ、送風ファン２００が回転軸１０１から脱落するおそれがある。
【０００５】
そこで本発明は、万が一、回転軸と送風ファンとの取付状態が不完全であった場合に、係合部材が係合溝から抜け外れた場合であっても、送風ファンの脱落を防止することができる送風ファン装置を提供することを目的としている。
【課題を解決するための手段】
【０００６】
前記課題を解決し目的を達成するために、本発明の送風ファン装置は次のように構成されている。
【０００７】
回転軸に送風ファンを着脱自在に取り付ける送風ファン装置において、前記回転軸に設けられた回転伝達部と、前記回転軸の外周部に形成された係合溝と、前記送風ファンに設けられ、前記回転軸への挿入により前記回転伝達部に係合する被回転伝達部と、前記送風ファンに設けられ、間隔が狭くなる方向へ付勢され、前記係合溝に係合することで前記送風ファンを前記回転軸に抜け止め状態とするための対向する一対のばね線部からなる第１の係合部材と、この第１の係合部材に対し、前記回転軸の先端側に離間して配置され、それらの間隔の縮小方向へのばね力により前記係合溝に係合することで前記送風ファンを前記回転軸に抜け止め状態とするための対向する一対のばね線部からなる第２の係合部材と、前記第１及び第２の係合部材の前記一対のばね線部を拡開させ、該係合部材のいずれか一方のばね線部を前記係合溝から外れさせる手段とを備えている。
【発明の効果】
【０００８】
本発明によれば、万が一、回転軸と送風ファンとの取付状態が不完全であった場合に、係合部材が係合溝から抜け外れた場合であっても、送風ファンの脱落を防止することが可能となる。
【発明を実施するための最良の形態】
【０００９】
図１は本発明の第１の実施の形態に係る換気扇（送風ファン装置）１０の概略構成を示す縦断面図、図２は換気扇の要部を示す正面図、図３は換気扇における通常係合状態を示す縦断面図、図４は換気扇における第２係合状態を示す縦断面図である。
【００１０】
換気扇１０は、壁等に固定される本体２０と、この本体２０に着脱自在に取り付けられる送風ファン３０とを備えている。
【００１１】
本体２０は、矩形状の外枠２１を備えており、この外枠２１の室内側にはべルマウス２２、室外側には風圧開放式のシャッタ２３が取り付けられている。外枠２１の中央部には駆動モータ２４が取り付けられている。駆動モータ２４には、送風ファン３０を着脱可能に取り付けられる回転軸２５が設けられている。
【００１２】
送風ファン３０は、円筒状の羽根基部３１の外周部に羽根片３２を放射状に突設してなるもので羽根基部３１の中心部には、回転軸２５に嵌合される嵌合孔３３ａを有した段付円筒状のボス部３３が突設されている。このボス部３３の先端面には、凹部（被回転伝達部）３４が形成されていて、送風ファン３０が回転軸２５に装着されると、凹部３４が回転軸２５に固着したピン（回転伝達部）２５ａの両端部に係合するように構成されている。そしてこの凹部３４とピン２５ａとの係合により、回転軸２５から送風ファン３０への回転伝達を行う機能を有している。
【００１３】
回転軸２５の外周部には、係合溝２６が形成されている。また、送風ファン３０には、間隔が狭くなる方向へ付勢され、係合溝２６に係合することで回転軸２５に抜け止め状態とするための対向する一対のばね線部４１が基端４１ａ側で結合する二股状の第１の係合部材４０が設けられている。また、第１の係合部材４０に対し、回転軸２５の先端側に離間して配置され、それらの間隔の縮小方向へのばね力により係合溝２６に係合することで回転軸２５に抜け止め状態とするための対向する一対のばね線部５１が基端５１ａ側で結合した二股状の第２の係合部材５０が設けられている。
【００１４】
さらに、第１の係合部材４０及び第２の係合部材５０の開口先端側に配置され、第１の係合部材４０及び第２の係合部材５０をその基端４１ａ，５１ａ側から開口先端側に移動することにより、一対のばね線部４１，５１の先端側に摺接して一対のばね線部４１，５１を拡開させ、第１の係合部材４０及び第２の係合部材５０のいずれか一方のばね線部４１，５１を係合溝２６から外れさせるテーパ状の拡開部６０とを備えている。また、第１の係合部材４０及び第２の係合部材５０の基端４１ａ，５１ａ側には、操作部材としてのプラスチック製の押釦７０が設けられている。
【００１５】
このように構成された本体２０と送風ファン３０との着脱方法について説明する。送風ファン３０の取付時は、ボス部３３側から回転軸２５に挿入してゆく。さらに、第１の係合部材４０の一対のばね線部４１が係合溝２６に係合するまで押し込む。同時に、凹部３４がピン２５ａの両端部に係合する。
【００１６】
これにより、一対のばね線部４１がその縮小方向のばね力により係合溝２６に係合することで、送風ファン３０を回転軸２５に抜け止め状態に装着し、一対のばね線部５１は係合溝２６より後端側の回転軸２５の外周面に圧接することとなる。
【００１７】
したがって、第１の係合部材４０により、送風ファン３０の抜け止めを行うとともに、回転軸２５から送風ファン３０への回転伝達が可能となる。
【００１８】
送風ファン３０を取外す際は、押釦７０を一対のばね線部４１の先端方向に移動操作しながら送風ファン３０を回転軸２５の先端方向に引き抜くことにより一対のばね線部４１の先端部が拡開部６０のテーパ面６１を摺動して拡開し、ばね線部４１が係合溝２６から外れる。さらに、ばね線部５１も係合溝２６を乗り越えて回転軸２５から外れる。
【００１９】
一方、何らかの理由で送風ファン３０に抜け方向の力が作用した場合に、取付状態が不完全であって、万が一、第１の係合部材４０の一対のばね線部４１が係合溝２６から外れた場合は、第２の係合部材５０の一対のばね線部５１が係合溝２６に係合することとなる。
【００２０】
上述したように、回転軸２５と送風ファン３０との取付状態が不完全であった場合に、第１の係合部材４０が係合溝２６から抜け外れた場合であっても第２の係合部材５０により抜け止めが確保されるため、送風ファン３０の脱落を防止することが可能となる。
【００２１】
図５は本発明の第２の実施の形態に係る換気扇１０を示す縦断面図、図６は同換気扇における通常係合状態を模式的に示す要部縦断面図、図７は換気扇における第２係合状態を模式的に示す要部縦断面図である。なお、これらの図において、図１〜図４と同一機能部分には同一符号を付し、その詳細な説明は省略する。
【００２２】
本実施の形態に係る換気扇１０では、回転軸２５の先端部と係合溝２６の後端側２６ａの形状が後端側へ広がるテーパ形状に形成されている。このため、送風ファン３０を回転軸２５に取付けるとき、送風ファン３０を回転軸２５に挿入して押し込む際の抵抗が少なく、簡単な操作で取り付けができ、取付作業性が向上する。
【００２３】
一方、取り外す方向には、第１の係合部材４０の一対のばね線部４１や第２の係合部材５０の一対のばね線部５１が係合溝２６の先端側に位置する略垂直に形成された壁部２６ｂに係合するため外れ難くなる。また、ばね線部４１及びばね線部５１の断面を円形ではなく、図６，７に示すように長円或いは楕円とすることで、壁部２６ｂとの係合する量が大きくなり、外れ難さを増大させることができる。
【００２４】
本実施の形態に係る換気扇１０によれば、送風ファン３０を回転軸２５に取付けるとき、送風ファン３０を回転軸２５に挿入して押し込むだけの簡単な操作で取り付けることができ、取付作業性が向上するとともに、取り外す方向には第１の係合部材４０及び第２の係合部材５０との係合を確実にすることで、送風ファン３０の不用意な脱落を確実に防止できる。
【００２５】
図８は本発明の第３の実施の形態に係る換気扇１０の通常係合状態を示す要部縦断面図、図９は換気扇１０の第２係合状態を示す要部縦断面図である。なお、これらの図において、図１〜図４と同一機能部分には同一符号を付し、その詳細な説明は省略する。
【００２６】
第１の係合部材４０と第２の係合部材５０の回転軸２５の軸方向における離間距離Ｄは、第１の係合部材４０が係合溝２６に係合している時は、ピン２５ａと凹部３４とは係合し、第２の係合部材５０が係合溝２６に係合している時は、ピン２５ａと凹部３４との係合が解除される位置に設定されている。
【００２７】
このように構成されていると、第１の係合部材４０が係合溝２６とが係合しているときは、ピン２５ａと凹部３４とは係合し、上述した例と同様に駆動モータ２４から送風ファン３０への回転力伝達が行われる。一方、送風ファン３０に抜け方向の力が作用し、仮に第１の係合部材４０が係合溝２６から外れて、第２の係合部材５０が係合溝２６に係合した場合、ピン２５ａと凹部３４が係合しないため、回転軸２５から送風ファン３０への回転伝達が行われず、抜け外れる力がかからないため、不用意な外れをより一層確実に防止できる。
【００２８】
なお、本発明は前記実施の形態に限定されるものではない。例えば、上述した例では、送風ファン装置として換気扇について説明したが、扇風機等にも適用できる。この他、本発明の要旨を逸脱しない範囲で種々変形実施可能であるのは勿論である。
【図面の簡単な説明】
【００２９】
【図１】本発明の第１の実施の形態に係る換気扇の概略構成を示す縦断面図。
【図２】同換気扇の要部を示す正面図。
【図３】同換気扇の通常係合状態を示す要部縦断面図。
【図４】同換気扇の第２係合状態を示す要部縦断面図。
【図５】本発明の第２の実施の形態に係る換気扇の要部を示す縦断面図。
【図６】同換気扇における通常係合状態を模式的に示す要部縦断面図。
【図７】同換気扇における第２係合状態を模式的に示す要部縦断面図。
【図８】本発明の第３の実施の形態に係る換気扇における通常係合状態を示す要部縦断面図。
【図９】同換気扇における第２係合状態を示す要部縦断面図。
【図１０】従来の換気扇を示す縦断面図。
【符号の説明】
【００３０】
１０…換気扇（送風ファン）、２０…本体、２４…駆動モータ、２５…回転軸、２５ａ…ピン（回転伝達部）、２６…係合溝、３０…送風ファン、３３…ボス部、３４…凹部（被回転伝達部）、４０…第１の係合部材、４１…一対のばね線部、５０…第２の係合部材、５１…一対のばね線部、６０…拡開部、７０…押釦。
【図１】
2009221927.tif 000003
【図２】
2009221927.tif 000004
【図３】
2009221927.tif 000005
【図４】
2009221927.tif 000006
【図５】
2009221927.tif 000007
【図６】
2009221927.tif 000008
【図７】
2009221927.tif 000009
【図８】
2009221927.tif 000010
【図９】
2009221927.tif 000011
【図１０】
2009221927.tif 000012